【手続補正書】
【提出日】平成18年8月22日(2006.8.22)
【手続補正１】
【補正対象書類名】特許請求の範囲
【補正対象項目名】全文
【補正方法】変更
【補正の内容】
【特許請求の範囲】
【請求項１】
噴霧するべき液体の収容に適した容器と、
一端が該容器の近くにあるとともに該液体に浸漬されている管状のエネルギー伝達装置と、
液体の霧化のために該容器と作動可能なように連結され、該管状のエネルギー伝達装置の他端へ向かって押し出される該液体へエネルギーを伝達するように構成されたエネルギー源とを備えた、噴霧器。
【請求項２】
該エネルギー源が、該容器の下方に位置している、請求項１記載の噴霧器。
【請求項３】
該管状のエネルギー伝達装置が、該容器の底部に隣接するように位置している、請求項１または２に記載の噴霧器。
【請求項４】
該管状のエネルギー伝達装置が、該管状のエネルギー伝達装置の該他端付近でエアゾールを形成する振動数で振動する、請求項１ないし３のいずれかに記載の噴霧器。
【請求項５】
少なくとも該管状のエネルギー伝達装置の一部のまわりに位置するエアゾール管であって、該エアゾール管内のエアゾールの静圧が、該エアゾール管を通してエアゾールを押し出すのに十分な圧力低下を、該エアゾール管内に誘導するような断面積を有するエアゾール管をさらに備えた、請求項１ないし４のいずれかに記載の噴霧器。
【請求項６】
該エアゾール管の内径が、該管状のエネルギー伝達装置の該他端における内径より大きい、請求項４または５に記載の噴霧器。
【請求項７】
該エアゾール管が、該管状のエネルギー伝達装置と実質的に同軸になるように位置している、請求項５または６に記載の噴霧器。
【請求項８】
該エアゾール管が、該管状のエネルギー伝達装置の該他端に連結されている、請求項７記載の噴霧器。
【請求項９】
該エネルギー源が、該管状のエネルギー伝達装置の該他端付近の該液体を振動させる、請求項８記載の噴霧器。
【請求項１０】
該エアゾール管が、その上端で、次に排出ダクトと連絡している膨張室内に開口している、請求項５ないし９のいずれかに記載の噴霧器。
【請求項１１】
該膨張室が、該液体のより大きな液滴を該容器内へと戻して循環するようにされている請求項１０記載の噴霧器。
【請求項１２】
該エネルギー源が、超音波放射エネルギーを伝達するための超音波変換器を含む、請求項１ないし１１のいずれかに記載の噴霧器。
【請求項１３】
該超音波変換器が、凹形の表面を有する、請求項１２記載の噴霧器。
【請求項１４】
該超音波変換器が、該液体の焦点領域に超音波エネルギーを伝達するように構成されている、請求項１２または１３に記載の噴霧器。
【請求項１５】
該管状のエネルギー伝達装置の該一端が、該焦点領域付近にある、請求項１４記載の噴霧器。
【請求項１６】
該管状のエネルギー伝達装置の内径が、該焦点領域の直径と実質的に等しい、請求項１４または１５に記載の噴霧器。
【請求項１７】
該管状のエネルギー伝達装置が、該液体よりも高い音響インピーダンスを有する、請求項１２ないし１６のいずれかに記載の噴霧器。
【請求項１８】
該管状のエネルギー伝達装置の該音響インピーダンスが、該管状のエネルギー伝達装置に沿うエネルギーの伝達中に、最小の音響エネルギー損失をもたらすのに十分なほど大きい、請求項１７記載の噴霧器。
【手続補正２】
【補正対象書類名】明細書
【補正対象項目名】００１５
【補正方法】変更
【補正の内容】
【００１５】
本発明の１局面では、
噴霧するべき液体の収容に適した容器と、
一端が該容器の近くにあるとともに該液体に浸漬されている管状のエネルギー伝達装置と、
液体の霧化のために該容器と作動可能なように連結され、該管状のエネルギー伝達装置の他端へ向かって押し出される該液体へエネルギーを伝達するように構成されたエネルギー源とを備えた、噴霧器が提供される。
物質を細胞生物体へ移送する方法は、
イオン化されたエアゾール形態の物質を生物体の移送領域へ供給する工程と、
イオン化されたエアゾール物質の細胞生物体への移送を向上させるために、磁気エネルギーを移送領域へ適用する工程とを含んでもよい。
磁気エネルギーを適用する工程は、パルス磁場を印加することにより実施されることが好ましい。より好ましくは、パルス磁場は、非対称である。
細胞生物体へ物質を移送する方法は、
生物体の移送領域に、液体またはクリームの形態の物質を供給する工程と、
移送領域に超音波エネルギーを適用して、液体またはクリームの形態の物質の生物体への移送を向上させる工程と、
移送領域に磁気エネルギーおよび電気エネルギーを同時に適用して、液体またはクリームの形態の物質の細胞生物体への移送をもたらす工程と、を含んでもよい。
移送を向上させるための生物体への超音波エネルギーの適用は、生物体の穴の開口によって促進されることが好ましい。
超音波エネルギーと磁気エネルギーとは、同時に適用されることが好ましい。
超音波エネルギー、磁気エネルギーおよび／または電気エネルギーは、それぞれ、超音波場、磁場および／または電場を印加することによって適用されることが好ましく、この場合、磁場はパルス磁場であることが好ましい。
【手続補正３】
【補正対象書類名】明細書
【補正対象項目名】００１７
【補正方法】変更
【補正の内容】
【００１７】
物質を細胞生物体内へ移送する装置は、
生物体の移送領域に物質をイオン化されたエアゾール形態で供給するためのエアゾール移送ヘッドと、
細胞生物体へのイオン化されたエアゾール物質の移送を向上させるために移送領域へ磁気エネルギーを適用する装置とを備えていてもよい。
【手続補正４】
【補正対象書類名】明細書
【補正対象項目名】００１８
【補正方法】変更
【補正の内容】
【００１８】
好ましくは、エアゾール移送ヘッドは、移送領域のまわりに密閉されたコンパートメントを形成するように構成されている。
この装置は、エアゾール移送ヘッドに作用するように結合された噴霧器も備えていることが好ましい。より好ましくは、噴霧器は、
噴霧するべき液体の収容に適した容器と、
一端が容器の液体に浸漬され、他端がこの液体から離れた位置にある管状のエネルギー伝達装置と、
液体の霧化のために該容器または該管状のエネルギー伝達装置と作動可能なように連結され、該液体または該管状のエネルギー伝達装置へエネルギーを伝達するように構成されたエネルギー源であって、それによって作動中に伝達されたエネルギーが該管状のエネルギー伝達装置の該他端へ向かって該液体を押し出し、そこで該液体がエアゾールの形態で噴霧される、エネルギー源とを含む。
エネルギー伝達装置は、その一端が液体の底部に隣接するように位置していることが好ましい。
好ましくは、エネルギー伝達装置は、エネルギーの放出の際にその壁に高周波振動の形成を可能とするよう構成され、該高周波振動は液面またはエネルギー伝達装置の該他端付近でエアゾールの形成をもたらす。
好ましくは、噴霧器は、管状の音響伝達装置の他端と連結されたエアゾール管をさらに備え、このエアゾール管が、エアゾール管内のエアゾールの静圧がエアゾール管に沿って、単独でエアゾール管から霧状のエアゾールを押し出すのに十分な圧力低下を引き起こすような断面積を有している。
細胞生物体へ物質を移送するための装置は、
生物体の移送領域に作用して、クレームまたは液体の形態の物質の生物体への移送を向上させる超音波エネルギーの発生装置と、
磁気エネルギーおよび電気エネルギーを移送領域に同時に適用して、クリームまたは液体の形態の物質の細胞生物体への移送をもたらす装置であって、超音波エネルギー発生装置が結合されて、これらの装置の組み合わせにより相乗的な効果が得られるようにされた装置と、を備えていてもよい。
磁気エネルギーを適用する装置は、パルス磁気発生装置の形態であることが好ましい。
【手続補正５】
【補正対象書類名】明細書
【補正対象項目名】００２３
【補正方法】変更
【補正の内容】
【００２３】
生物体は動物であってもよい。より詳しくは、この生物体はヒトであってもよい。移送領域は、動物またはヒトの膜を含んでもよい。この膜はヒトの皮膚を含んでもよい。あるいは、膜はヒトの角膜を含んでもよい。膜はあるいはヒトの肺を含んでもよい。